(57)【要約】      （修正有）【課題】資源枯渇の地球上で、電気の使用場所に接近する場所の所望する場所に低コストで容易に建設することができ、維持管理も容易な「中空構造物体と腕錘付き曲軸発電装置」による入力と比べ効率的な回転力を得て発電する装置を提供する。【解決手段】中心重心を点として左右上下前後で対称・平衡・釣り合い・又はそれに近い状態の中空構造物体を左右の水平台座にすえ、軸を中心に遥動自在に支持させて、連続駆動入力すれば、物体内の腕錘付き曲軸が回転し、これを利用する発電装置である。【選択図】図２
2011196292.tif 000002
【特許請求の範囲】
【請求項１】
左右に支持棒（１）、前後に天秤錘棒（２）、上下に回転軸管（３）を、各棒と軸管が自身内部で直交するよう装着した中空構造物体（４）、そして又自身の直交点で上下左右前後で対称であり平衡である中空構造物体（４）。    
【請求項２】
曲軸心（５）と腕錘（６）とからなる錘腕曲軸（７）、そして又曲軸心の中心重心を点として上下左右前後で対称であり平衡である錘腕曲軸（７）。  
【請求項３】
請求項１の回転軸管（３）に請求項２の曲軸心（５）を通し曲軸心（５）の中心重心を中空構造物体（４）の直交点と一致させ回転自在に支持させ入力手段で錘腕曲軸（７）を回転させる発電装置と発電方法。
【請求項４】
請求項１、請求項２、請求項３及び図４、５、６に示したものは一例でありその他を含めてこれらと同じ理念考案機能の構造物などの製作設計販売などをすること。            
【請求項５】
請求項１、請求項２及び請求項３と同じ理念考案機能を持つ玩具・学習研究教材・展示物などの製作販売をすること。
【発明の詳細な説明】
【技術分野】
【０００１】
本発明は中空構造物体内の回転軸管に腕錘付き曲軸の軸心を通し回転させ発電する方法とその装置に関するものである。  
【背景技術】
【０００２】
発電方法としては、水力発電、火力発電、原子力発電等が既に知られている。
【０００３】
水力発電は高所にある水を落下させ、水の位置エネルギーを圧力及び運動エネルギーに変換することにより水車を回転させ、該水車に連結された発電機を回転させて発電するようにしたものである。
【０００４】
火力発電は、石炭、重油等の燃料をもちいてボイラーにより高温・高圧の蒸気を作り、該蒸気により蒸気タービンを作動させ、該蒸気タービンにより発電機を回転させて発電するようにしたものである。
【０００５】
原子力発電は、ウラン、プルトニュウム等の核燃料が原子炉内で核分裂する際に発生する原子核エネルギーを熱として取り出し、この熱により蒸気を発生させて蒸気をタービンを作動させ、蒸気タービンにより発電機を回転させて発電するようにしたものである。
【０００６】
又近年、たとえば特許公開２００９−２９１０５２号公報に示すように、太陽光により電力を生じさせる太陽光発電も知られている。
【０００７】
さらに例えば特許公開２００７−１５４７５９号公報にしめすように、風力により電力を生じさせる風力発電も知られている。
【発明の概要】
【発明が解決しようとする課題】
【０００８】
しかるに、上記従来の水力発電、火力発電、原子力発電には下記のごとき問題がある。
【課題を解決するための手段】
【０００９】
（イ）公害、環境破壊の問題を生ずる。
（ロ）発電所の建設費用、維持費費用等当が嵩む。
（ハ）発電所は場所限定され、大規模送電施設など膨大な費用が掛かる。
（ニ）発電所は電力の需要に応じて即時起動・停止ができないという問題がある。
【発明の効果】
【００１０】
一方、太陽光発電、風力発電は、自然の太陽光、風を利用ものであるため気象条件に左右され電力を需要に応じて安定的に、かつ、充分に供給することができないという問題がある。
【図面の簡単な説明】
【００１１】
【図１】装置一例の側面図と正面図
【図２】現象把握と着眼点の図
【図３】中空構造物体内部の一例略図
【図４】地下に設置する時の図
【図５】飛行機型ナセルのときの俯瞰図
【図６】地下多層同時設置入力型の図
【発明を実施するための形態】
【００１２】
上記課題を解決するために、本発明方法を提供する。
【実施例１】
【００１３】
左右に支持棒（１）、前後に天秤錘棒（２）、上下に回転軸管（３）を、各棒と軸管が自身内部で直交するよう装着した中空構造物体（４）、そして又自身の直交点で上下左右前後で対称であり平衡である中空構造物体（４）。（請求項１）    
曲軸心（５）と腕錘（６）とからなる錘腕曲軸（７）、そして又曲軸心の中心重心に上下左右前後で対称であり平衡である錘腕曲軸。（請求項２）  
請求項１の回転軸管（３）に請求項２の曲軸心（５）を通し曲軸心（５）の中心重心を中空構造物体（４）の直交点と一致させ回転自在に装着して入力手段で錘腕曲軸（７）を回転させる発電装置と発電方法。(請求項３）
請求項１、請求項２、請求項３及び図４、５、６に示したものは一例でありその他を含めてこれらと同じ理念考案機能の構造物などの製作設計販売などをすること。(請求項４）
請求項１、請求項２及び請求項３と同じ理念考案機能を持つ玩具・学習研究教材・展示物などの製作販売をすること。（請求項５）
【００１４】
本発明の発電装置と方法は、構造が簡単・建設容易低費用・維持管理容易低費用・建設場所どこでも・送電設備費用低減・発電の起動停止容易・瞬時発電可能である。
【発明を実施するための最良の形態】
【００１５】
図１、に示す事例について説明する。図は本発明の考案理念理解と簡単明瞭を本旨としたので、実際的でないなど・自己流・勉強不足・図の稚拙さなど乞うお許し。
符号１は支持棒で台座に軸自在に支持され水平軸と装置全体の安全安定に寄与。
符号２は天秤錘棒で空洞体の内部又は全体の不均衡を補正するため錘・棒の長さなどで調整する機能具備。符号３は回転軸管で符号５曲軸心が円滑回転する構造である。
符号４は中空構造物体で一例は風力発電のナセルと同様基軸自在継ぎ手などを、構造規模によっては増速機発電機も具備し、形は球体・直方体・トラス構造体などに対応する。符号５は該曲軸心で該回転軸管内を自在回転でき、符号６腕錘の取り付け、角度など回転に支障のない範囲で有効に固定。符号７は腕錘付き曲軸で該支持棒と該天秤錘棒との地軸角度変換により腕錘を自然に自発的に回転させる本発明の原動力。符号８は入力棒で位置は一例であり、入力手段により選択する。符号９は台座で支持棒を水平に支持し装置全体の安全安定に寄与。
駆動手段・伝動手段・機械保全手段・自在継ぎ手・基軸・三次元空間の図・腕錘の軌跡図・トラス長方体の図などは省略する。                                            
【００１６】
図２は現象把握と着眼点の図で、各軸と腕錘・棒錘の変化などの図に各符号を記載した、順次説明する。符号１０は入力位置で、（イ）記載は暫定位置、何処からでも可能、概略２０度傾斜を目安に駆動手段をへて腕錘の回転とリズム・波長をあわせ入力する。（ロ）入力は原則ゼロとし、構造規模を大にするほど出入力差は拡大し比較にならない。符号１１は出力位置で、（イ）位置特定ここしかないが多少のずれは許され、自在継ぎ手・基軸などで移動可能である。（ロ）出力概算目安は、1分間60回転の時、２π×腕錘Ｎ(ｍｔＮ）÷６０≒ｋｗｈとした。（ハ）出力方法は自在継ぎ手・基軸などで移動可能。
符号１２は水平軸で、線で示す。符号１３は垂直軸で、（イ）回転軸管は腕錘付き曲軸を回転させる。（ロ）水平・垂直軸（０，０)は二次元平面での運動、回転軸管に軸回転させられる腕錘付き曲軸は自発的に自然に三次元空間運動する。符号１４は中心重心直交点で、（イ）上下左右前後の平衡・対称を保つ原点であり、入力をゼロにする原点である。（ロ）上下の腕錘はこの点対称点を対称とし平衡で、入力に負担をかけない。符号１５は腕錘の運動変化などの図で、点線で示した。（イ）上下腕錘の落差はそれぞれプラスマイナスゼロだが、勢いは残り継続力となる。（ロ）該腕錘の軌跡はほぼ円回転で入力に負担をかけず自発的に自然に該軸心に回転力を生じさせる。（ハ）該腕錘の軌跡<2π×腕×錘mtＮ>は該空洞体の傾斜のそれより大きい。(ニ）腕錘の傾斜反復のリズム波長が流速を、大小が流量を表す人工河川とすれば、所望の河川が何処にでも土木工事なしで建設可能となる。
【００１７】
図３は中空構造物体内部の一例の略図で、風力発電のナセルのように出力及び発電機能を一と括りにするためで、符号１６は増速機・符号１７は発電機である。
図４は地下設置型である。箱型ナセルの支持保全・平衡・均衡状態維持に密閉空間がよい。都市近郊に設置なので環境公害に配慮する。地上が有効利用できる。出力は1分間60回転で２π×1m×10ｔ×9.8÷６０≒10kwhで試験運転の後、1分間120回転で２π×2m×50ｔ×２×9.8÷６０≒200kwhを視野にいれる。規模が大になれば効率は高くなる。
図５は飛行機型ナセルの俯瞰図。風力発電は高い塔上でないと作動しないが、本型は４乃至５mで充分可能、又地上でのスペースにゆとりあれば平面に並べ同時入力なども可能。
図６は地下多層同時入力型の図。空中でも地下でも対応可能、側面支持であり上下空間で設置に便利、地下でも空中でも何層にも設置可能。入力は同時入力であり省力が期待される。工場内の狭い敷地内にも設置可能、電力の必要時にのみ稼動、譲与は売電に利用でき一挙両得。
【産業上の利用可能性】
【００１８】
CO2削減問題と省資源は現時点での世界と国家的最大問題であり、それが機械的構造物だけで解決できる最良の方法である。無秩序な研究開発などは社会全体と各業界を混乱させ、まだ未開発部分も多いので、この方法は特定時期まで国・公共団体などで責任を持って研究開発し、世の平安と安全を考慮して、世界・地球・人類に貢献するよう切望します。
【符号の説明】
【００１９】
１    支持棒                        １０    入力位置
２    天秤錘棒                      １１    出力位置
３    回転軸管                      １２    水平軸
４    中空構造物体                  １３    垂直軸  
５    曲軸心                        １４    中心重心直交点
６    腕錘                          １５    錘腕の運動変化
７    錘腕曲軸                      １６    増速機
８    入力棒                        １７    発電機
９    台座                            
【図１】
2011196292.tif 000003
【図２】
2011196292.tif 000004
【図３】
2011196292.tif 000005
【図４】
2011196292.tif 000006
【図５】
2011196292.tif 000007
【図６】
2011196292.tif 000008